(57)【要約】【課題】  タオル掛けを簡単かつ迅速に使用位置と待避位置とに回動操作することができるキッチン用フロアキャビネットを提供する。【解決手段】  キャビネット本体の２上部前面に、左右方向に延在するレール部材３を設けて、このレール部材３にスライド部材４をスライド可能に係合させたキッチン用フロアキャビネット１であって、スライド部材４に、左右方向または上下方向に回動操作可能なタオル掛け７Ａを取付けて、タオル掛け７Ａをキャビネット本体２の前方の使用位置ｃと、使用位置ｃとは別の待避位置ｄとに回動操作できるようにした。【選択図】      図４
2006212190.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、
前記スライド部材に、左右方向または上下方向に回動操作可能なタオル掛けを取付けたことを特徴とするキッチン用フロアキャビネット。
【請求項２】
前記スライド部材に、前記タオル掛けを回動操作位置で当て止めるストッパー部材を設けたことを特徴とする請求項１に記載のキッチン用フロアキャビネット。
【請求項３】
前記スライド部材に、前記タオル掛けを回動操作位置に係止する係止部材を設けたことを特徴とする請求項１に記載のキッチン用フロアキャビネット。
【発明の詳細な説明】
【技術分野】
【０００１】
本発明は、キッチン用フロアキャビネット、特にタオル掛けの構造に関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【０００５】
前記のようなキッチン用フロアキャビネットにおいて、前記スライド部材にタオル掛けを取付けることが考えられるが、タオル掛けに掛けたタオルは、キャビネット本体の前面に垂れ下がるので、キャビネット本体の前面に有る扉や引き出しを開閉する際の邪魔になる。
【０００６】
このような場合には、スライド部材とともにタオル掛けを扉等の開閉の邪魔にならない位置にスライドさせることは可能である。
【特許文献１】特開平６−７３７６７号公報
【発明の開示】
【発明が解決しようとする課題】
【０００７】
しかしながら、スライド部材に、手や肘等を置くサポートバーや食器等を置くテーブルを支持して、このサポートバー等にタオル掛けを取付けているような場合、大型のサポートバー等をスライド部材とともに長い距離でスライド操作することが煩わしいという問題がある。
【０００８】
本発明は、前記問題を解消するためになされたもので、タオル掛けを簡単かつ迅速に使用位置と待避位置とに回動操作することができるキッチン用フロアキャビネットを提供することを目的とするものである。
【課題を解決するための手段】
【０００９】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記スライド部材に、左右方向または上下方向に回動操作可能なタオル掛けを取付けたことを特徴とするものである。
【００１０】
タオル掛けがキャビネット本体の前面等を傷付けないようにするために、前記スライド部材に、前記タオル掛けを回動操作位置で当て止めるストッパー部材を設けることが好ましい。
【００１１】
タオル掛けが不用意に回動するのを防止するために、前記スライド部材に、前記タオル掛けを回動操作位置に係止する係止部材を設けることが好ましい。
【発明の効果】
【００１２】
本発明によれば、キャビネット本体のレール部材でスライド可能なスライド部材に、タオル掛けを左右方向または上下方向に回動操作可能に取付けたから、タオル掛けをキャビネット本体の前方の使用位置に回動操作してタオルを垂れ下がらせば、手を拭くのに便利になるとともに、キャビネット本体の前面の扉や引き出しを開閉する時は、タオル掛けをその扉等の前面とは別の待避位置に回動操作すれば、扉等の開閉に支障が生じなくなる。
【００１３】
また、スライド部材を長い距離でスライド操作する必要が無く、簡単かつ迅速にタオル掛けを使用位置と待避位置とに回動操作することができる。
【発明を実施するための最良の形態】
【００１４】
以下、本発明を実施するための最良の形態について、図面を参照しながら詳細に説明する。
【００１５】
図１および図２示すように、キッチン用フロアキャビネット１は、キャビネット本体２と、このキャビネット本体２の上部前面に設けられ、左右方向に延在するレール部材３と、このレール部材３にスライド可能に係合するスライド部材４と、このスライド部材４に取付けられるサポートバー５とを備えている。
【００１６】
前記キャビネット本体２は、略直方体の形状をなしており、人造大理石等で構成されるカウンター２１と、カウンター２１を支持する箱体２４とを有して、箱体２４の前面に前後方向に開閉可能な扉２５や引き出し２６が設けられている。
【００１７】
前記カウンター２１には、調理器（図示せず）やシンク２２が組み込まれているとともに、カラン２３が取付けられている。
【００１８】
前記レール部材３は、前記カウンター２１の下面と箱体２４の前面との角部分にビス等で固定されていて、手前側に開口する係合溝３１が形成されている。この係合溝３１は、前後方向に延びる基部溝３１ａと、基部溝３１ａの奥側で斜め上方に立ち上がる立上り溝３１ｂとからなり、側面視で略Ｌ字状をなしている。
【００１９】
前記スライド部材４は、側面視で略逆Ｔ字状をなしていて、前記レール部材３の係合溝３１に嵌り込んで係合する係合部４１と、前記サポートバー５に固定する固定部４２ａ，４２ｂとを有している。
【００２０】
前記係合部４１は、前後方向に延びて、レール部材３の係合溝３１の基部溝３１ａの下面に載置可能な基部４１ａと、基部４１ａの奥側で斜め上方に立ち上がって、レール部材３の係合溝３１の立上り溝３１ｂに係合可能な立上り部４１ｂとからなり、側面視で略Ｌ字状をなしている。
【００２１】
そして、前記係合部４１は、下から上に回し操作しながら係合溝３に挿入することにより、立上り部４１ｂが基部溝３１ａを通過して立上り溝３１ｂに係合するようになっている。
【００２２】
前記スライド部材４は、前方からレール部材３に取付けたり、取外したりすることができる。すなわち、スライド部材４をレール部材３から取外すには、図２（ａ）の取付け状態から図２（ｂ）のように、サポートバー５とともにスライド部材４を矢印ａのように持ち上げて、係合部４１を上から下に回し操作する。この状態で、図２（ｃ）のように、サポートバー５とともにスライド部材４の係合部４１を矢印ｂのように手前側（同図中の左側）に引き抜けば、前方からの操作でサポートバー５とともにスライド部材４をレール部材３から取外すことができる。
【００２３】
逆に、サポートバー５とともにスライド部材４をレール部材３に取付けるには、前記操作とは逆にすればよい。すなわち、図２（ｃ）の取外し状態から図２（ｂ）のように、サポートバー５とともにスライド部材４の係合部４１をレール部材３の係合溝３１に嵌め込み、この状態でサポートバー５とともにスライド部材４の係合部４１を下から上に回し操作すれば、図２（ａ）のように、立上り部４１ｂが立上り溝３１ｂに係合するとともに基部４１ａが基部溝３１ａの下面に載ることで、サポートバー５とスライド部材４の自重によって係合部４１の係合溝３１への係合状態が維持される。
【００２４】
前記スライド部材４は、前記サポートバー５の左右の端部付近の下面および裏面に固定部４２ａ，４２ｂでそれぞれ固定されている。
【００２５】
図３に示すように、前記サポートバー５の右端部付近の下面側には、タオル掛け７Ａが取付けられている。
【００２６】
図４（ａ）は、前記サポートバー５を透視的に描いた平面図である。前記タオル掛け７Ａは、横長楕円のリング状部７ａと、このリング状部７ａの一端側から長手方向に延在する軸状部７ｂとで形成されて、前記軸状部７ｂの後端部７ｃは、図４（ｂ）のように、上方に立ち上げられている。前記リング状部７ａにタオル８（図１参照）を通して垂れ下がらせるようになる。
【００２７】
前記スライド部材４の固定部４２ａ，４２ｂの幅（左右）方向のほぼ中間に位置する前記サポートバー５の右端部付近の下面に嵌合穴５ａが形成され、この嵌合穴５ａに前記タオル掛け７Ａの立ち上がった後端部７ｃが下方から回動可能に嵌合されて、この後端部７ｃの拡径頭部７ｄで嵌合穴５ａから抜けないように保持されている。これにより、タオル掛け７Ａは、後端部７ｃを中心にして左右方向に略１８０度で水平状態で回動（旋回）操作Ｒができるようになる。このタオル掛け７Ａは、キャビネット本体２の箱体２４の前方の使用位置ｃに右回動操作できるとともに、サポートバー５の下方の待避位置ｄに左回動操作できるようになる。なお、図１のタオル掛け７Ａは、使用位置ｃと待避位置ｄとの間の回動操作途中の状態を示しているが、通常は、使用位置ｃと待避位置ｄとのいずれかに回動操作するものである。
【００２８】
前記スライド部材４の水平部分の固定部４２ａは、図４（ａ）のように、前記タオル掛け７Ａを使用位置ｃと待避位置ｄとに回動操作したときに、軸状部７ｂをその回動操作位置で当て止めるストッパー部材として機能する。この固定部４２ａには、当接音を減らすため弾性材９を貼付けておくことが好ましい。なお、前記スライド部材４の固定部４２ａとは別にストッパー部材を設けても良い。
【００２９】
また、前記サポートバー５の下面には、図４（ｃ）に示すように、前記タオル掛け７Ａを待避位置ｄに回動操作したときに、軸状部７ｂを回動方向から溝１０ａに無理嵌めして、タオル掛け７Ａを待避位置ｂに係止する係止部材１０を取付けている。なお、タオル掛け７Ａを使用位置ｃに係止する係止部材１０を取付けることもできる。このような係止部材１０を取付ければ、前記ストッパー部材を省略することが可能である。
【００３０】
前記のようなキッチン用フロアキャビネット１であれば、キャビネット本体２の箱体２４の前面のレール部材３に、サポートバー５のスライド部材４を係合させて、その係合状態を維持した状態で、サポートバー５に取付けたタオル掛け７Ａを箱体２４の前方の使用位置ｃに右回動操作すると、箱体２４の前方に、タオル掛け７Ａに掛けたタオル８が垂れ下がるので、手を拭くのに便利になる。
【００３１】
また、箱体２４の前面の扉２５や引き出し２６を前後方向に開閉するときは、タオル掛け７Ａやタオル８が邪魔になって、扉１５等の開閉操作に支障が生じる。
【００３２】
そこで、サポートバー５に取付けたタオル掛け７Ａをタオル８とともにサポートバー５の下方の待避位置ｄに左回動操作すると、扉２５等の開閉に支障が生じなくなる。
【００３３】
前記タオル掛け７Ａに掛けたタオル８は、待避位置ｄでも手を拭くことができるから、扉２５等の開閉をしない時に、タオル掛け７Ａを待避位置ｄに左回動操作したままであると、タオル８が濡れていれば、サポートバー５に手や肘を置いた使用者の膝元が濡れることがある。このような場合には、タオル掛け７Ａを使用位置ｃに右回動操作すれば、使用者の膝元が濡れるおそれがなくなる。
【００３４】
また、タオル掛け７Ａをストッパー部材（スライド部材４の固定部４２ａ）で使用位置ｃと待避位置ｄとに当て止めるから、タオル掛け７Ａを必要以上に回動操作してキャビネット本体２の箱体２４の前面等に当て、そこを傷付けるというおそれがなくなる。
【００３５】
さらに、タオル掛け７Ａを係止部材１０で待避位置ｄに係止するから（使用位置ｃでの係止も可能）、タオル掛け７Ａが不用意に回動するおそれがなくなる。
【００３６】
前記実施形態では、サポートバー５にタオル掛け７Ａを左右方向に回動操作できるように取付けたものであったが、図５に示すように、タオル掛け７Ｂを正面視で四角枠状に形成するとともに、側面視でＬ字状に形成して、このタオル掛け７Ｂの両下端部７ｅを外向きに折り曲げ、この両折り曲げ下端部７ｅをサポートバー５の下面に固定した軸受部５ｂに側方から回動可能に嵌合する。
【００３７】
これにより、タオル掛け７Ｂは、下端部７ｅを中心にして上下方向に略１８０度で回動（旋回）操作Ｒができるようになる。
【００３８】
そして、タオル掛け７Ｂは、サポートバー５の下方で、キャビネット本体２の箱体２４の前方の使用位置ｃに下回動操作できるとともに、サポートバー５の上方の待避位置ｄに上回動操作できるようになる。
【００３９】
また、前記サポートバー５の下面には、前記タオル掛け７Ｂを使用位置ｃと待避位置ｄとに回動操作したときに、タオル掛け７Ｂを使用位置ｃと待避位置ｄとに係止する前記係止部材１０をそれぞれ取付けている。
【００４０】
このタオル掛け７Ｂであっても、サポートバー５に取付けたタオル掛け７Ｂをサポートバー５の下方の使用位置ｃに下回動操作すると、サポートバー５の下方に有る箱体２４の前方に、タオル掛け７Ｂに掛けたタオル８を垂れ下がるので、手を拭くのに便利になる。
【００４１】
また、この箱体２４の前面の扉２５等を前後方向に開閉するときは、タオル掛け７Ｂをサポートバー５の上方の待避位置ｄに上回動操作すると、扉２５等の開閉に支障が生じなくなる。
【００４２】
前記実施形態では、スライド部材４をサポートバー５に取付けたものであったが、これに限られるものでは無く、スライド部材４にテーブル等に取付けても良い。
【００４３】
また、前記実施形態では、サポートバー５とともにスライド部材４を前方からレール部材３に取付けたり、取外したりできるものであったが、これに限られるものではない。
【図面の簡単な説明】
【００４４】
【図１】本発明の実施形態に係るキッチン用フロアキャビネットの斜視図である。
【図２】（ａ）〜（ｃ）は、レール部材に対してスライド部材を取付けたり、取外したりするときの操作を説明する図１のＡ−Ａに相当する断面図である。
【図３】サポートバーとタオル掛けの要部斜視図である。
【図４】（ａ）はタオル掛けの平面図、（ｂ）はタオル掛けの回動部分の断面図、（ｃ）は係止部材の側面図である。
【図５】変形例のタオル掛けであり、（ａ）は斜視図、（ｂ）は側面図である。
【符号の説明】
【００４５】
１      キッチン用フロアキャビネット
２      キャビネット本体
３      レール部材
４      スライド部材
４２ａ  固定部（ストッパー部材）
５      サポートバー
７Ａ，７Ｂ  タオル掛け
１０    係止部材
ｃ      使用位置
ｄ      待避位置
【図１】
2006212190.tif 000003
【図２】
2006212190.tif 000004
【図３】
2006212190.tif 000005
【図４】
2006212190.tif 000006
【図５】
2006212190.tif 000007